(57)【要約】【課題】帯域外における雑音や妨害波を効率よく押えることができる簡単な構成で安価なＡＧＣ付きのチャンネル専用受信増幅装置を提供することにある。【解決手段】テレビ信号を元の周波数よりも低い周波数の中間周波数信号に変換する第１周波数変換部と，該第１周波数変換部から出力される中間周波信号を処理する信号処理処理部と，該信号処理部を通過した中間周波信号をテレビ放送信号に周波数変換して出力する第２周波数変換部とを備え，前記第１周波数変換部は第１局部発振器から発生した高周波信号を用いて周波数変換し，前記第２周波数変換部は第２局部発振器から発生した高周波信号を用いて周波数変換するか，前記第１周波数変換部と前記第２周波数変換部とは第１局部発振器から発生した高周波信号を用いて周波数変換するかを，選択可能とする。【選択図】  図３
2005159469.tif 000002
【特許請求の範囲】
【請求項１】
受信アンテナから入力される受信信号の中から，予め設定された放送チャンネルのテレビ信号を抽出し，該抽出したテレビ放送信号を所定レベルまで増幅するチャンネル専用受信増幅装置において，
当該チャンネル専用受信増幅装置は少なくとも，前記抽出したテレビ放送信号を，元の周波数よりも低い周波数の中間周波数信号に変換する第１周波数変換部と，
該第１周波数変換部から出力される中間周波信号を処理する信号処理部と，
該信号処理部を通過した中間周波信号をテレビ放送信号に周波数変換して出力する第２周波数変換部とを備え，
前記第１周波数変換部と前記第２周波数変換部とは，同じ局部発振器から発生した高周波信号を用いて周波数変換することで，前記抽出したテレビ放送信号と前記第２周波数変換部から出力されるテレビ放送信号とは同じ周波数となるように構成したことを特徴としたチャンネル専用受信増幅装置。
【請求項２】
受信アンテナから入力される受信信号の中から，予め設定された放送チャンネルのテレビ信号を抽出し，該抽出したテレビ放送信号を所定レベルまで増幅するチャンネル専用受信増幅装置において，
当該チャンネル専用受信増幅装置は少なくとも，前記抽出したテレビ放送信号を，元の周波数よりも低い周波数の中間周波数信号に変換する第１周波数変換部と，
該第１周波数変換部から出力される中間周波信号を処理する信号処理部と，
該信号処理部を通過した中間周波信号をテレビ放送信号に周波数変換して出力する第２周波数変換部とを備え，
前記第１周波数変換部は第１局部発振器から発生した高周波信号を用いて周波数変換し，前記第２周波数変換部は第２局部発振器から発生した高周波信号を用いて周波数変換することで，前記抽出したテレビ放送信号と前記第２周波数変換部から出力されるテレビ放送信号とは異なる周波数となるように構成したことを特徴としたチャンネル専用受信増幅装置。
【請求項３】
請求項２に記載のチャンネル専用受信増幅装置において，
前記第２周波数変換部は，前記第１局部発振器若しくは前記第２局部発振器の何れかの高周波信号によって周波数変換できるように局部発振器を取り外し可能なプラグイン方式としたことを特徴としたチャンネル専用受信増幅装置。
【請求項４】
前記第２周波数変換部は，前記第１局部発振器若しくは前記第２局部発振器の何れかの高周波信号によって周波数変換できるように，前記第１局部発振器からの高周波信号か前記第２局部発振器からの高周波信号を選択して注入可能なように選択部を設けたことを特徴とした請求項２又は請求項３に記載のチャンネル専用受信増幅装置。
【請求項５】
前記選択部の操作部はチャンネル受信専用増幅装置を構成する筐体のパネル部に設けられることで，前記チャンネル受信専用増幅装置の外側から，前記第２周波数変換部に高周波信号を注入する局部発振器を選択可能に構成したことを特徴とした請求項４に記載のチャンネル受信専用増幅装置。
【発明の詳細な説明】
【技術分野】
【０００１】
本発明は，地上波ディジタル放送を，ＣＡＴＶ伝送路を介して伝送するのに適したヘッドエンド装置に用いるチャンネル専用受信増幅装置に関する。
【背景技術】
【０００２】
従来のチャンネル専用受信増幅装置は入来する受信信号のレベルが変化しても出力を安定化させることができるし，このような状態にあっても放送の停止などで入力がなくなった場合には，増幅回路に対して増幅度が上昇することを阻止するように構成されているので，このように構成されたチャンネル受信専用増幅装置を複数個用いたヘッドエンドを介して，加入者がこの増幅装置が扱うチャンネルと隣接するチャンネルを受信しても安定な受信を確保することができる。（例えば，特許文献１参照）
【０００３】
【特許文献１】特開昭５１−１０５２５４号公報
【発明の開示】
【発明が解決しようとする課題】
【０００４】
しかし，テレビ受信機の性能向上によって，受信電波の帯域外の雑音成分による受信画質の劣化が問題となり，受信チャンネルの増幅後における帯域外特性の改善が必要となった。更に，地上ディジタル放送が開始されることになり，その放送波は隣接チャンネルでの放送となるため，一層受信帯域外特性の改善が必要となった。ところが，従来のチャンネル受信専用増幅装置によると，ＲＦ信号をそのまま増幅する構成となっているため，受信チャンネルの帯域を制限するためには，例えばバンドパスフィルター等を挿入する必要があるのであるが，ＲＦ信号に対するバンドパスフィルターは，通過損失を少なく，しかも帯域外阻止量を必用レベルに減衰させるために，回路構成が複雑になり，調整が難しくなるといった問題があった。更に温度特性を良くする必要がある，その回路が大きくなる等コストアップとなる問題があった。
そこで本願においては，こうした問題点を解決するためになされたものであり，
その目的は，受信チャンネルを効率よく受信するチャンネル専用受信増幅装置を提供することにある。
他の目的は，帯域外における雑音や妨害波を効率よく押えることができるチャンネル専用受信増幅装置を提供することにある。
他の目的は，帯域外における雑音や妨害波を効率よく押えることができる簡単な構成で安価なチャンネル専用受信増幅装置を提供することにある。
【課題を解決するための手段】
【０００５】
上記課題を解決するために，請求項１の発明は受信アンテナから入力される受信信号の中から，予め設定された放送チャンネルのテレビ信号を抽出し，該抽出したテレビ放送信号を所定レベルまで増幅するチャンネル専用受信増幅装置において，当該チャンネル専用受信増幅装置は少なくとも，前記抽出したテレビ放送信号を，元の周波数よりも低い周波数の中間周波数信号に変換する第１周波数変換部と，該第１周波数変換部から出力される中間周波信号を処理する信号処理処理部と，該信号処理部を通過した中間周波信号をテレビ放送信号に周波数変換して出力する第２周波数変換部とを備え，前記第１周波数変換部と前記第２周波数変換部とは，同じ局部発振器から発生した高周波信号を用いて周波数変換することで，前記抽出したテレビ放送信号と前記第２周波数変換部から出力されるテレビ放送信号とは同じ周波数となるように構成される。
【０００６】
請求項２の発明は，受信アンテナから入力される受信信号の中から，予め設定された放送チャンネルのテレビ信号を抽出し，該抽出したテレビ放送信号を所定レベルまで増幅するチャンネル専用受信増幅装置において，当該チャンネル専用受信増幅装置は少なくとも，前記抽出したテレビ放送信号を，元の周波数よりも低い周波数の中間周波数信号に変換する第１周波数変換部と，該第１周波数変換部から出力される中間周波信号を処理する信号処理処理部と，該信号処理部を通過した中間周波信号をテレビ放送信号に周波数変換して出力する第２周波数変換部とを備え，前記第１周波数変換部は第１局部発振器から発生した高周波信号を用いて周波数変換し，前記第２周波数変換部は第２局部発振器から発生した高周波信号を用いて周波数変換することで，前記抽出したテレビ放送信号と前記第２周波数変換部から出力されるテレビ放送信号とは異なる周波数となるように構成される。
【０００７】
請求項３の発明は，請求項２に記載のチャンネル専用受信増幅装置において，前記第２周波数変換部は，前記第１局部発振器若しくは前記第２局部発振器の何れかの高周波信号によって周波数変換できるように局部発振器を取り外し可能なプラグイン方式に構成される。
【０００８】
請求項４の発明は，請求項２又は請求上３の発明において，前記第２周波数変換部は，前記第１局部発振器若しくは前記第２局部発振器の何れかの高周波信号によって周波数変換できるように，前記第１局部発振器からの高周波信号か前記第２局部発振器からの高周波信号を選択して注入可能なように選択部を設けるように構成される。
【０００９】
請求項５の発明は，請求項４の発明において，前記選択部の操作部はチャンネル受信専用増幅装置を構成する筐体のパネル部に設けられることで，前記チャンネル受信専用増幅装置の外側から，前記第２周波数変換部に高周波信号を注入する局部発振器を選択可能に構成される。
【発明の効果】
【００１０】
以上詳述したように，請求項１の発明によれば，受信アンテナから入力される受信信号の中から，予め設定された放送チャンネルのテレビ信号を抽出し，該抽出したテレビ放送信号を所定レベルまで増幅するチャンネル専用受信増幅装置において，当該チャンネル専用受信増幅装置は少なくとも，前記抽出したテレビ放送信号を，元の周波数よりも低い周波数の中間周波数信号に変換する第１周波数変換部と，該第１周波数変換部から出力される中間周波信号を処理する信号処理処理部と，該信号処理部を通過した中間周波信号をテレビ放送信号に周波数変換して出力する第２周波数変換部とを備え，前記第１周波数変換部と前記第２周波数変換部とは，同じ局部発振器から発生した高周波信号を用いて周波数変換することで，前記抽出したテレビ放送信号と前記第２周波数変換部から出力されるテレビ放送信号とは同じ周波数となるように構成したので，このテレビ受信専用増幅装置においては，特定放送チャンネルのテレビ信号を，当該テレビ放送信号より周波数が低い中間周波数で必用な帯域を抽出すればよく，抽出用のバンドパスフィルターは簡単な構成でもって所定信号のみを通過させるように構成することができるので，コストが安価に実現できる。また，入力と出力の周波数が同じであることから，このチャンネル専用受信増幅装置を介した端末に，例えば地上ディジタル放送を受信するチューナそのまま接続しても希望波信号を受信できるのである。
【００１１】
請求項２の発明によれば，受信アンテナから入力される受信信号の中から，予め設定された放送チャンネルのテレビ信号を抽出し，該抽出したテレビ放送信号を所定レベルまで増幅するチャンネル専用受信増幅装置において，当該チャンネル専用受信増幅装置は少なくとも，前記抽出したテレビ放送信号を，元の周波数よりも低い周波数の中間周波数信号に変換する第１周波数変換部と，該第１周波数変換部から出力される中間周波信号を処理する信号処理処理部と，該信号処理部を通過した中間周波信号をテレビ放送信号に周波数変換して出力する第２周波数変換部とを備え，前記第１周波数変換部は第１局部発振器から発生した高周波信号を用いて周波数変換し，前記第２周波数変換部は第２局部発振器から発生した高周波信号を用いて周波数変換することで，前記抽出したテレビ放送信号と前記第２周波数変換部から出力されるテレビ放送信号とは異なる周波数となるように構成したのでこのテレビ受信専用増幅装置においては，特定放送チャンネルのテレビ信号を，当該テレビ放送信号より周波数が低い中間周波数で必用な帯域を抽出すればよく，抽出用のバンドパスフィルターは簡単な構成でもって所定信号のみを通過させるように構成することができるので，コストが安価に実現できる。また，入力周波数に対して異なる数波数で出力することができることから，このチャンネル専用受信増幅装置は，例えばＣＡＴＶ施設において地上ディジタル放送を伝送しようとする場合に必用に応じて伝送するチャンネルを変更できる。
【００１２】
請求項３の発明によれば，請求項２に記載のチャンネル専用受信増幅装置において，第１周波数変換部と第２周波数変換部に注入する局部発振器はプラグイン方式に構成したので，出荷の時点で，必用に応じて出力信号の周波数を入力と同じにするか異なる周波数にかを選択できる。
【００１３】
請求項４及び請求項５の発明によれば，前記第２周波数変換部は，前記第１局部発振器若しくは前記第２局部発振器の何れかの高周波信号によって周波数変換できるように，前記第１局部発振器からの高周波信号か前記第２局部発振器からの高周波信号を選択して注入可能なように選択部を設けたので，このテレビ受信専用増幅装置においては，特定放送チャンネルのテレビ信号を，当該テレビ放送信号より周波数が低い中間周波数で必用な帯域を抽出すればよく，抽出用のバンドパスフィルターは簡単な構成でもって所定信号のみを通過させるように構成することができるので，コストが安価に実現できる。また，入力と出力の周波数が同じ周波数にしたり，異なる周波数にしたりすることができ，このチャンネル専用受信増幅装置を介した端末に，例えば地上ディジタル放送を受信するチューナをそのまま使用する施設においても，周波数を変更してセットトップボックスを用いて受信する施設においても，このチャンネル専用受信増幅装置で対応可能となる。
また，前記選択部の操作部はチャンネル受信専用増幅装置を構成する筐体のパネル部に設けられることで，前記チャンネル受信専用増幅装置の外側から，前記第２周波数変換部に高周波信号を注入する局部発振器を選択可能に構成したので，簡単な操作で入力と出力の周波数が同じ周波数にしたり，異なる周波数にしたりすることができ，このチャンネル専用受信増幅装置を介した端末に，例えば地上ディジタル放送を受信するチューナをそのまま使用する施設においても，周波数を変更してセットトップボックスを用いて受信する施設においても，このチャンネル専用受信増幅装置で対応可能となる。
【発明を実施するための最良の形態】
【００１４】
以下に，本発明を具体化した実施形態の例を，図面を基に詳細に説明する。
図１は本願の第１の実施例を示す。図２は本願の第２の実施例を示す。図３は本願の第３の実施例を示す。
【実施例１】
【００１５】
本願の第１の実施例について図１を用いて説明する。この図において１はチャンネル専用受信増幅装置である。受信信号は入力端子Ｔｉｎに入力される。２は受信信号の中から予め設定された特定放送チャンネルのテレビ信号を引き込むためのバンドパスフィルターであり，３は前記バンドパスフィルター２を通過したテレビ信号を所定レベルまで増幅する増幅回路であり，バンドパスフィルター２と増幅回路３とで入力回路３０を構成している。この増幅回路３は出力レベルが一定の値となるようにＡＧＣ回路を備えている。
４０は信号処理部であり，本願の実施例では前記増幅回路３から出力される信号を，５に示す局部発振器が発生する高周波信号とを混合して，前記受信信号の周波数より低い周波数の中間周波数に変換する第１周波数変換部４と，該生成した中間周波数帯の信号を所定レベルまで増幅する中間周波数増幅回路７と，前記中間周波数増幅回路７の出力信号に対して必要な帯域を通過させて，帯域外を所定レベル減衰させるためのバンドパスフィルター８と，当該バンドパスフィルター８を通過した信号を，５に示す局部発振器が発生する高周波信号とを混合して，前記受信信号の周波数と同じテレビ周波数に周波数変換する第２周波数変換部９とから構成されている。
信号処理部４０から出力されたテレビ信号は１１に示す増幅回路とバンドパスフィルター１２からなる出力回路５０を介して出力端子Ｔｏｕｔから出力される。
【００１６】
図２は本願の第２の実施例を示すものであり，特に説明しない限り第１の実施例と同様の構成のものは同じ番号を付与している。
入力回路３０を通過した信号は，信号処理部４０に入力される。この信号処理部は，５に示す局部発振器が発生する高周波信号と入力回路３０からの信号と混合して，前記受信信号の周波数より低い周波数の中間周波数に変換する第１周波数変換部４と，該生成した中間周波数帯の信号を所定レベルまで増幅する中間周波数増幅回路７と，前記中間周波数増幅回路７の出力信号に対して必要な帯域を通過させて，帯域外を所定レベル減衰させるためのバンドパスフィルター８と，当該バンドパスフィルター８を通過した信号を，６に示す局部発振器が発生する高周波信号とバンドパスフィルター８を通過した信号を混合して，前記受信信号の周波数とは異なるテレビ周波数に周波数変換する第２周波数変換部９とから構成されている。
信号処理部４０から出力されたテレビ信号は１１に示す増幅回路とバンドパスフィルター１２からなる出力回路５０を介して出力端子Ｔｏｕｔから出力される。
【００１７】
図３は本願の第３の実施例を示すものであり，特に説明しない限り第１及び第２の実施例と同様の構成のものは同じ番号を付与している。
入力回路３０を通過した信号は，信号処理部４０に入力される。この信号処理部は，５に示す局部発振器が発生する高周波信号と入力回路３０からの信号と混合して，前記受信信号の周波数より低い周波数の中間周波数に変換する第１周波数変換部４と，該生成した中間周波数帯の信号を所定レベルまで増幅する中間周波数増幅回路７と，前記中間周波数増幅回路７の出力信号に対して必要な帯域を通過させて，帯域外を所定レベル減衰させるためのバンドパスフィルター８と，当該バンドパスフィルター８を通過した信号を，５に示す局部発振器が発生する高周波信号とを混合して，前記受信信号の周波数と同じテレビ周波数に周波数変換するか，若しくは，６に示す局部発振器が発生する高周波信号とバンドパスフィルター８を通過した信号を混合して，前記受信信号の周波数とは異なるテレビ周波数に周波数変換するかを選択可能なように，選択部１５を備えさせた第２周波数変換部９とから構成されている。即ち選択部を１５ａ側にしたときは，Ｔｉｎに入力された希望波信号とＴｏｕｔから出力される信号は同じ周波数となるように構成されている。また，選択部を１５ｂ側にしたときは，Ｔｉｎに入力された希望波信号とＴｏｕｔから出力される信号は異なる周波数で出力されるように選択可能に構成されているのである。
信号処理部４０から出力されたテレビ信号は１１に示す増幅回路とバンドパスフィルター１２からなる出力回路５０を介して出力端子Ｔｏｕｔから出力される。この実施例においては，局部発振器を選択部で切替可能としたが，第２周波数変換器に注入する局部発振器をプラグイン方式として，第１局部発振器だけを注入するようにしても良いし，第２局部発振器を取り付けて第２周波数変換器に注入するように構成しても良い。
【００１８】
次に本発明のチャンネル専用受信増幅装置２０−１〜２０−８を用いたヘッドエンド装置について説明する。入力端子を介して取込まれたテレビ信号は，増幅回路及び利得調整回路等で構成される入力回路５１を介して分配器５２，５３，５４で分配される。前記テレビ信号に含まれる複数のチャンネルのテレビ信号は，夫々のチャンネル専用受信増幅装置において，信号処理及び増幅処理することにより，同軸ケーブルを介して端末側に伝送するのに適した信号として出力される。出力された信号は混合器５５，増幅回路及び利得調整回路等で構成される出力回路５６から出力される。尚，本実施例ではチャンネル専用増幅装置２０を用いて構成しているが，本発明の第１の実施例又は第２の実施例のチャンネル専用増幅装置を用いてもよい。
【００１９】
更に詳しく説明する。チャンネル受信専用増幅装置の入力端子Ｔｉｎに入力された受信信号の中から，バンドパスフィルター（以下，ＢＰＦと呼ぶ）２において予め設定された特定放送チャンネルのテレビ放送信号を抽出する。このとき，入力信号は例えばテレビ放送のＵＨＦ帯を利用した地上ディジタル放送の信号から抽出するような場合，当該放送の信号は隣接チャンネルで送られてくるため，特定のチャンネルだけを取り出すために，ＢＰＦ２は通過損失が少なく，帯域外の阻止量が良くする必要がある。しかしＲＦ信号からと特定チャンネルから抽出する事は，回路の複雑さ等からのコストアップとなり実用的でなくなる。そこでＢＰＦ２では概ね希望波信号を含むやや広い帯域を通過させて，その信号を増幅回路３において所定レベルまで増幅する。尚，この増幅回路３はＡＧＣ付きの増幅回路でも良い。こうして入力回路３０を通過した信号は信号処理回路４０に入力される。
【００２０】
信号処理回路４０では，一定周波数の高周波信号を発生する局部発振器５と，この局部発振器５が発生した高周波信号と入力回路を介して入力された受信信号とを混合して，特定放送チャンネルのテレビ放送信号を元の周波数より低い所定の中間周波数に周波数変換する第１周波数変換部４によって中間周波信号に変換される。変換された中間周波信号は特定放送チャンネルのテレビ放送信号に対応した信号成分のみを選択的に通過させるためのＢＰＦ８を通過させる。
このＢＰＦ８は，中間周波信号の中から特定放送チャンネルのテレビ放送信号に対応した信号成分のみを選択的に通過させることで，隣接チャンネルが妨害波成分として通過帯域に残らない用にするためのＢＰＦであり，テレビ放送信号より周波数が低い中間周波数であるため，ＢＰＦは簡単な構成でもって所定信号のみを通過させるように構成することができるので，コストが安価で実現できるのである。
【００２１】
次に，ＢＰＦを通過した中間周波信号は，第２周波数変換部において，一定周波数の高周波信号を発生する局部発振器６からの高周波信号によって，中間周波信号を任意周波数のテレビ放送信号に周波数変換される。
第２周波数変換部から出力されたテレビ信号は増幅回路１１，ＢＰＦ１２からなる出力回路５０を通過した後，出力回路Ｔｏｕｔから出力される。
この実施例では，第２周波数変換器に注入する局部発振器を選択部１５で持って選択可能に構成したので，特定放送チャンネルのテレビ放送信号を第１周波数変換部でその周波数より低い中間周波信号に変換し，その中間周波信号からＢＰＦ８でもって所定の信号のみを通過させると共に，その所定信号を第２周波数変換部において前記特定放送チャンネルとは異なるチャンネルのテレビ放送信号に周波数変換するように構成したり，特定放送チャンネルのテレビ放送信号を第１周波数変換部でその周波数より低い中間周波信号に変換し，その中間周波信号からＢＰＦ８でもって所定の信号のみを通過させると共に，その所定信号を第２周波数変換部と第１局部発振器とでもって前記特定放送チャンネルとは同じチャンネルのテレビ放送信号に周波数変換するように構成したり選択可能に構成されている。
【００２２】
このように本願によれば，増幅するべき特定放送チャンネルのテレビ放送信号が他のテレビ放送信号と共に隣接チャンネルで放送されており，このテレビ放送信号の中から，予め設定された特定放送チャンネルのテレビ信号を抽出して，予め設定された所定レベルまで増幅する増幅装置であるが，テレビ信号を一端中間周波信号に周波数変換（ダウンコンバート）するように構成したので，受信信号より低い周波数帯である中間周波信号から特定放送チャンネルのテレビ放送信号のみを正確に抽出すると共に，抽出した信号を予め設定した伝送用放送チャンネルのテレビ放送信号に周波数変換（アップコンバート）して，端末側にはこの増幅装置から出力されるテレビ放送信号が他のテレビ放送信号と共に隣接チャンネル伝送される場合で，伝送の形態に合わせて，入力周波数と出力周波数を同一周波数で出力させたり，入力周波数と出力周波数を異なる周波数でも出力させたりすることができる，簡単な構成で且つ安価な増幅装置が提供できるのである。
尚，本発明は上記実施の形態に限定されるものではなく，本発明の趣旨を逸脱しない範囲で各部の構成等を適宜に変更して実施することも可能である。
【図面の簡単な説明】
【００２３】
【図１】本願の第１の実施例を示すブロック図である。
【図２】本願の第２の実施例を示すブロック図である。
【図３】本願の第３の実施例を示すブロック図である。
【図４】本願の第３の実施例に示すチャンネル専用増幅装置を用いたヘッドエンドを示すブロック図である。
【符号の説明】
【００２４】
１，１０，２０…チャンネル専用受信増幅装置，２…バンドパスフィルター，３…ＡＧＣ増幅回路，４…第１周波数変換部，５…第１局部発振器，６…第２局部発振器，７…中間周波数増幅回路，８…バンドパスフィルター，９…第２周波数変換部，１１…増幅回路，１２…バンドパスフィルター，１５…選択部，５１…入力回路，５２，５３…分配器，５５…混合器，５６…出力回路，３０…入力回路，４０…信号処理部，５０…出力回路，Ｔｉｎ…入力端子，Ｔｏｕｔ…出力端子
【図１】
2005159469.tif 000003
【図２】
2005159469.tif 000004
【図３】
2005159469.tif 000005
【図４】
2005159469.tif 000006